(57)【特許請求の範囲】
【請求項１】
第一面および前記第一面と対向する第二面と、被覆部および前記被覆部に接続された隠蔽部とを有するシート素材であって、前記被覆部が下余白を含み、前記隠蔽部が上端を含む、前記シート素材と、
上面および前記上面と反対側の下面を有する補強片であって、少なくとも一つの補強片境界を有し、前記補強片の前記下面が前記シート素材の前記第一面に接着している、前記補強片と、
前記シート素材を通り、前記隠蔽部の前記上端を定め、前記補強片の下側に位置する第一弱線とを含む、ラベルフォーム。
【請求項２】
前記隠蔽部の前記上端は、前記被覆部の前記下余白の内側にある、請求項１に記載のラベルフォーム。
【請求項３】
前記隠蔽部は、前記第一弱線で前記隠蔽部の前記第二面が前記被覆部の前記第二面に接する向きに折り畳み可能である、請求項１に記載のラベルフォーム。
【請求項４】
前記被覆部の前記第二面の少なくとも一部分は、接着剤を含む、請求項１に記載のラベルフォーム。
【請求項５】
前記第一面上の剥離パッチであって、前記補強片の少なくとも一部の下に設けられ、前記補強片の前記一部が除去可能に接着している前記剥離パッチをさらに含む、請求項１に記載のラベルフォーム。
【請求項６】
前記剥離パッチの第一部分は、前記被覆部上にある、請求項５に記載のラベルフォーム。
【請求項７】
前記剥離パッチの第二部分は、前記隠蔽部上にある、請求項５に記載のラベルフォーム。
【請求項８】
前記隠蔽部が前記第一弱線で折り畳み可能であり、前記隠蔽部が前記第一弱線で折り畳まれたときに、前記剥離パッチの前記第二部分が前記補強片から分離する、請求項７に記載のラベルフォーム。
【請求項９】
前記隠蔽部が前記第一弱線で折り畳み可能であり、前記隠蔽部が前記第一弱線において折り畳まれたときに、前記補強片の前記下面の一部分が現れる、請求項１に記載のラベルフォーム。
【請求項１０】
前記シート素材および前記補強片を通る少なくとも一本の別の弱線をさらに含み、前記少なくとも一本の別の弱線が前記第一弱線の終点に接続され、前記第一弱線と前記少なくとも一本の別の弱線が前記被覆部の除去領域の境界を定める、請求項１に記載のラベルフォーム。
【請求項１１】
前記隠蔽部が前記第一弱線で前記隠蔽部の前記第二面が前記被覆部の前記第二面に接する方向に折り畳み可能であり、前記隠蔽部がその方向に折り畳まれるときに、前記隠蔽部が前記被覆部の前記除去領域の前記境界内に適合する方向に折り畳まれる、請求項１０に記載のラベルフォーム。
【請求項１２】
第一面および前記第一面と対向する第二面と、被覆部および前記被覆部に接続された隠蔽部とを有するシート素材であって、前記隠蔽部が前記被覆部の下方に折り畳まれて、前記隠蔽部が前記被覆部の前記第二面に接し、前記被覆部の前記第二面が前記被覆部を部分的に取り囲む領域上に接着剤を含む、前記シート素材と、
上面および前記上面と反対側の下面を有する補強片であって、前記補強片の前記下面がその面上の少なくとも一部分に接着剤を含み、前記下面が第一部分および第二部分を含み、前記第一部分が前記シート素材の前記第一面に接着し、前記第二部分が露出した接着剤を含む、前記補強片とを含む、ラベルフォーム。
【請求項１３】
前記シート素材および前記補強片を通る少なくとも一本の弱線であって、前記被覆部の除去領域の境界を定める前記少なくとも一本の弱線をさらに含む、請求項１２に記載のラベルフォーム。
【請求項１４】
前記被覆部の前記除去領域が前記隠蔽部の下に折り畳まれている部分と一直線上に並ぶ、請求項１３に記載のラベルフォーム。
【請求項１５】
使用面と、
ラベルとを含み、
前記ラベルは、
第一面および前記第一面と対向する第二面と、被覆部および前記被覆部に接続された隠蔽部とを有するシート素材であって、前記隠蔽部が前記被覆部の下方に折り畳まれ、前記第二面の少なくとも一部分が前記使用面に接着している、前記シート素材と、
上面および前記上面と反対側の下面を含む補強片であって、前記補強片の前記下面がその少なくとも一部分上に接着剤を含み、前記下面が第一部分および第二部分を含み、前記第一部分が前記シート素材の前記第一面に接着し、前記第二部分が前記使用面に接着している、前記補強片とを含み、
前記ラベルは、前記シート素材および前記補強片を通る少なくとも一本の弱線であって、前記被覆部の除去領域の境界を定める前記少なくとも一本の弱線をさらに含む、容器。
【請求項１６】
前記被覆部の前記除去領域が前記隠蔽部の下に折り畳まれている部分と一直線上に並ぶ、請求項１５に記載の容器。
【発明の詳細な説明】
【技術分野】
【０００１】
本願は、２０１３年１１月５日に出願された米国特許出願第１４／０７１，７９４号の利益を主張するものであり、その開示全体が本明細書に引用によって組み込まれる。
【背景技術】
【０００２】
ラベルは一般的に、発送やその他の情報をパッケージに表示するための印刷された郵便物証印（ｉｎｄｉｃｉａ）を保護する為に用いられる。発送の用途の場合、別のパッキングリストが購入された商品を入れたパッケージ内に同封されて、顧客に配送される。
【０００３】
自動で印刷し、表面に下ラベルおよび上ラベルを貼るラベル貼付方法には、大きな需要がある。例えば、自動で印刷し、密封カートンの表面にパッキングリストおよび発送ラベルを貼るラベル貼付方法には大きな需要がある。パッキングリストが生成される前にカートンは密封されるため、それを開封してパッキングリストに入れるのは効率的ではない。そのようなパッケージの大量発送では、パッケージに迅速にパッキングリストと発送ラベルを添付することが必要である。また、発送されたパッケージが最終的な受け取り先に届くまで、パッキングリストの情報が秘匿されるのが好ましい。
【発明の概要】
【発明が解決しようとする課題】
【０００４】
以上の理由により、既存の貼付の形態や方法の多数の欠点を避けつつ、自動印刷ならびに密封カートンの表面にパッキングリストおよび発送ラベルを貼付するラベルフォームおよび方法を提供することが望まれる。
【課題を解決するための手段】
【０００５】
本開示は、隠蔽可能ラベルを含むラベルフォームの開示を含む。少なくとも一つの実施形態において、本開示によるラベルフォームは、第一面および第一面と対向する第二面と、被覆部および被覆部に接続された隠蔽部とを有するシート素材であって、被覆部が下余白を含み、隠蔽部が上端を含む、シート素材と、上面および上面と反対側の下面を有する補強片であって、少なくとも一つの補強片境界を有し、補強片の下面がシート素材の第一面に接着している、補強片と、シート素材を通り、隠蔽部の上端を定め、補強片の下側に位置する第一弱線とを含む。
【０００６】
本願の開示による少なくとも一つの実施形態におけるラベルフォームの一態様において、隠蔽部の上端は、被覆部の下余白の内側にある。
【０００７】
本願の開示による少なくとも一つの実施形態におけるラベルフォームの一態様において、隠蔽部は、第一弱線で隠蔽部の裏面が被覆部の裏面に接する向きに折り畳み可能である。
【０００８】
本願の開示による少なくとも一つの実施形態におけるラベルフォームの一態様において、被覆部の裏面の少なくとも一部分は、接着剤を含む。
【０００９】
本願の開示による少なくとも一つの実施形態におけるラベルフォームの一態様において、第一面上の剥離パッチであって、補強片の少なくとも一部の下に設けられ、補強片の部分が除去可能に接着している剥離パッチをさらに含む。本願の開示による少なくとも一つの実施形態におけるラベルフォームの一態様において、剥離パッチの第一部分は、被覆部上にある。本願の開示による少なくとも一つの実施形態におけるラベルフォームの一態様において、剥離パッチの第二部分は、隠蔽部上にある。
【００１０】
本願の開示による少なくとも一つの実施形態におけるラベルフォームの一態様において、隠蔽部が第一弱線で折り畳み可能であり、隠蔽部が第一弱線で折り畳まれたときに、剥離パッチの第二部分が補強片から分離する。
【００１１】
本願の開示による少なくとも一つの実施形態におけるラベルフォームの一態様において、隠蔽部が第一弱線で折り畳み可能であり、隠蔽部が第一弱線において折り畳まれたときに、補強片の下面の一部分が現れる。
【００１２】
本願の開示による少なくとも一つの実施形態におけるラベルフォームの一態様において、補強片を通り、第一弱線と共に記載されている、補強片を通る第二弱線をさらに含む。本願の開示による少なくとも一つの実施形態におけるラベルフォームの一態様において、第二弱線は、少なくとも第一弱線と同じ長さである。本願の開示による少なくとも一つの実施形態におけるラベルフォームの一態様において、シート素材および補強片を通る少なくとも一本の別の弱線をさらに含み、少なくとも一本の別の弱線が第一弱線の終点に接続され、第一弱線と少なくとも一本の別の弱線が被覆部の除去領域の境界を定める。本願の開示による少なくとも一つの実施形態におけるラベルフォームの一態様において、第二弱線、少なくとも一本の別の弱線および少なくとも一つの補強片の境界が補強片の除去部分を定め、補強片の除去部分がシート素材の除去領域に接着されている。本願の開示による少なくとも一つの実施形態におけるラベルフォームの一態様において、隠蔽部が第一弱線で隠蔽部の裏面が被覆部の裏面に接する方向に折り畳み可能であり、隠蔽部がその方向に折り畳まれるときに、隠蔽部が被覆部の除去領域の境界内に適合する方向に折り畳まれる。
【００１３】
少なくとも一つの実施形態において、本開示によるラベルフォームは、第一面および第一面と対向する第二面と、被覆部および被覆部に接続された隠蔽部とを有するシート素材であって、隠蔽部が被覆部の下方に折り畳まれて、隠蔽部が被覆部の第二面に接し、被覆部の第二面が被覆部を部分的に取り囲む領域上に接着剤を含む、シート素材と、上面および上面と反対側の下面を有する補強片であって、補強片の下面がその面上の少なくとも一部分に接着剤を含み、下面が第一部分および第二部分を含み、第一部分がシート素材の第一面に接着し、第二部分が露出した接着剤を含む、補強片とを含む。本願の開示による少なくとも一つの実施形態におけるラベルフォームの一態様において、シート素材および補強片を通る少なくとも一本の弱線であって、被覆部の除去領域の境界を定める少なくとも一本の弱線をさらに含む。本願の開示による少なくとも一つの実施形態におけるラベルフォームの一態様において、被覆部の除去可能域が隠蔽部分の下に折り畳まれている部分と一直線上に並ぶ。
【００１４】
少なくとも一つの実施形態において、本開示には、容器が含まれ、その容器は、使用面と、ラベルとを含み、ラベルは、第一面および第一面と対向する第二面と、被覆部および被覆部に接続された隠蔽部とを有するシート素材であって、隠蔽部が被覆部の下方に折り畳まれ、第二面の少なくとも一部分が使用面に接着している、シート素材と、上面および上面と反対側の下面を含む補強片であって、補強片の下面がその少なくとも一部分上に接着剤を含み、下面が第一部分および第二部分を含み、第一部分がシート素材の第一面に接着し、第二部分が使用面に接着している、補強片とを含む。本開示における少なくとも一つの実施形態の一の局面において、そのようなラベルは、シート素材および補強片を通る少なくとも一本の弱線であって、被覆部の除去領域の境界を定める少なくとも一本の弱線をさらに含む。本開示における少なくとも一つの実施形態の他の局面において、被覆部の除去可能域が隠蔽部分の下に折り畳まれている部分と一直線上に並ぶ。
【図面の簡単な説明】
【００１５】
本開示の特徴及び利点ならびにこれらを得る方法は、添付の図面と合わせて後述の開示された方法とシステムの明細書を参照することによってより明確に一層理解できる。
【図１Ａ】図１Ａは、本開示における少なくとも一つの実施形態による部分的に組み立てられたラベルフォームの平面図を示す。
【図１Ｂ】図１Ｂは、本開示における少なくとも一つの実施形態による部分的に組み立てられたラベルフォームの断面図を示す。
【図２】図２は、本開示における少なくとも一つの実施形態に係る部分的に組み立てられたラベルフォームの平面図を示す。
【図３Ａ】図３Ａは、本開示における少なくとも一つの実施形態による部分的に組み立てられたラベルフォームの平面図を示す。
【図３Ｂ】図３Ｂは、本開示における少なくとも一つの実施形態によるラベルフォームの平面図である。
【図３Ｃ】図３Ｃは、本開示における少なくとも一つの実施形態による部分的に組み立てられたラベルフォームの断面図を示す。
【図４Ａ】図４Ａは、本開示における少なくとも一つの実施形態によるラベルフォームの平面図を示す。
【図４Ｂ】図４Ｂは、本開示における少なくとも一つの実施形態によるラベルフォームの平面図を示す。
【図４Ｃ】図４Ｃは、本開示における少なくとも一つの実施形態によるラベルフォームの平面図を示す。
【図５Ａ】図５Ａは、本開示における少なくとも一つの実施形態によるラベルの底面図を示す。
【図５Ｂ】図５Ｂは、本開示における少なくとも一つの実施形態によるラベルの底面図を示す。
【図６】図６は、本開示における少なくとも一つの実施形態によるラベルの側面図を示す。
【図７】図７は、本開示における少なくとも一つの実施形態によるラベルの側面図を示す。
【図８】図８は、本開示における少なくとも一つの実施形態によるラベルの端面図を示す。
【図９Ａ】図９Ａは、本開示における少なくとも一つの実施形態によるラベルフォームの平面図を示す。
【図９Ｂ】図９Ｂは、本開示における少なくとも一つの実施形態によるラベルフォームの平面図を示す。
【図１０】図１０は、本開示における少なくとも一つの実施形態によるラベルフォームの平面図を示す。
【図１１】図１１は、本開示における少なくとも一つの実施形態によるラベルフォームの底面図を示す。
【図１２】図１２は、本開示における少なくとも一つの実施形態によるラベルフォームであって、容器に添付されたラベルフォームを示す。
【図１３】図１３は、本開示における少なくとも一つの実施形態によるラベルフォームの使用を説明するフローチャートを示す。
【発明を実施するための形態】
【００１６】
図中に描かれた実施形態は本開示の原理の理解を深める目的で言及されており、同様の目的で特定の言語が用いられている。しかしながら、それによって本開示の範囲を制限する意図はないと理解されるべきである。
【００１７】
図１Ａは、本開示における少なくとも一つの実施形態による部分的に組み立てられたラベルフォーム１０の平面図を示す。図１Ｂは、図１Ａの部分的に組み立てられたラベルフォーム１０の図１ＡにおけるＩ−Ｉ線に沿った断面図を示す。図１Ａ−Ｂに、ラベル１８が示される。ラベル１８は、その上に郵便物証印を受けられるように、紙などの素材を含む。
【００１８】
ラベル１８は、ライナー（裏地）１２に除去可能に接着されている。ライナー１２は、少なくとも一つの実施形態において、ラベル１８の下面に臨む表面でライナー１２を実質的に被覆している剥離層１４を含む。ラベル１８は、ライナー１２に臨む表面上の接着剤１６を含む。剥離層１４および接着剤１６のいずれも、図１Ａにおいて視認できない。少なくとも一つの実施形態では、接着剤１６は、感圧接着剤を含む。図１Ａ−Ｂでは、ラベル１８の表面上に印刷された剥離パッチ２０も示されている。剥離層１４および剥離パッチ２０は、接着剤の除去可能な粘着を可能にする、例えば、シリコン材料などを含んでいてもよい。接着剤の除去可能な粘着性を可能にする任意の種類のコーティング材（ノンシリコンコーティングを含む）を使用することができる。
【００１９】
図２は、本開示における少なくとも一つの実施形態に係る部分的に組み立てられたラベルフォーム１０の平面図を示す。図２に示されるように、スリット２６，２８は、たとえば、打ち抜きなどにより、剥離パッチ２０およびラベル１８を貫通しているが、ライナー１２を貫通せずに形成されている。
【００２０】
図３Ａは、本開示における少なくとも一つの実施形態による部分的に組み立てられたラベルフォーム１０の平面図を示す。図３Ａに示されるように、基材２４が剥離パッチ２０の上方に設置されている。基材は、紙、ポリエステル、他の適切なシート素材を含む。図３Ｂは、図３Ａによる部分的に組み立てられたラベルフォーム１０の平面図であり、基材２４と剥離パッチ２０およびスリット２６，２８との位置合わせを説明するために基材２４を透明で示す。図３Ｃは、図３Ａ−３Ｂの部分的に組み立てられたラベルフォーム１０の図３ＢにおけるＩＩＩ−ＩＩＩ線に沿った断面図を示す。
【００２１】
図３Ａ−Ｃに示されるように、基材２４は、側縁３２６，３２７、剥離パッチ２０に臨む表面上の接着剤２２を含む。少なくとも一つの実施形態において、接着剤２２は、耐久性感圧接着剤を含むが、除去可能な感圧接着剤も使用可能である。このような接着剤は、アクリル系接着剤またはホットメルト接着剤であってもよい。図３Ａ−Ｂに示されるように、基材２４の表面積は、剥離パッチ２０の表面積よりも大きいため、基材２４は、剥離パッチ２０の境界を越えて拡張している。従って、基材２４が剥離パッチ２０の境界を越えて拡張している領域、例えば領域２４１，２４２などでは、接着剤２２が基材２４をラベル１８に直接に接着している。剥離パッチ２０の境界の外側の領域（例えば、領域２４１，２４２など）における接着剤２２、ラベル１８および基材２４の相互の作用により、それらの領域において、基材２４がラベル１８の表面に実質的に恒久的に接着している。しかし、剥離パッチ２０と接着素材２２の相互の作用により、基材２４が剥離パッチ２０を被覆する区域では、基材２４が剥離パッチ２０に除去可能に接着している。
【００２２】
図４Ａは、本開示における少なくとも一つの実施形態によるラベルフォーム１０の平面図を示す。図４Ｂは、図４Ａによるラベルフォーム１０の平面図を示し、図解のために基材２４を透明で示す。図４Ａ―Ｂに示されるように、境界３２１，３２２，３２３，３２４，３２５，３４１，３４２，３４３は、ラベル１８および基材２４を打ち抜かれているが、ライナー１２を打ち抜かれておらず、ラベル１８および基材２４における境界３２１，３２２，３２３，３２４，３２５，３４１，３４２，３４３の外側部分が除去されることにより、それらの領域でライナー１２および剥離層１４の表面が露出している。図４Ａ−Ｂに示されるように、境界３２４，３２５は、基材２４の側縁３２６と一直線上に並んでいる。図４Ｂに示されるように、境界３４１，３４２は、それぞれスリット２６，２８と一直線上に並んでいる。
【００２３】
図４Ａ−Ｂに示されるように、打ち抜き工程において、被覆部３２を含む第一部分および折り畳み部３４を含む第二部分にラベル１８が形成される。図４Ａ−Ｂに示されるように、被覆部３２は、側縁３２６および境界３２１，３２２，３２３，３２４，３２５に周囲を取り囲まれている。被覆部３２は、境界３２１，３２２の間を延びる第一幅Ｗ１を含む。図４Ａ−Ｂに示されるように、折り畳み部３４は、境界３４１，３４２，３４３によって三方を囲まれている。折り畳み部３４は、第一面３４５および境界３４１，３４２の間を延びる第二幅Ｗ２を含む。第二幅Ｗ２は、第一幅Ｗ１より狭い。
【００２４】
図４Ａ−Ｂに示されるように、被覆部３２は、弱線３８，３９，４０，４１をさらに含む。弱線３８，３９，４０，４１は、除去部３３の余白を定める。弱線４１は、折り畳み部３４の第四の境界も形成する。
【００２５】
図４Ａ−Ｂに示されるように、除去部３３は、第一面３３７を含む。除去部３３は、弱線３８，４０の間を延びる第三幅Ｗ３をさらに含む。第三幅Ｗ３は、第一幅Ｗ１より狭く、第二幅Ｗ２より広い。
【００２６】
図４Ａ−Ｂに示されるように、弱線３８は、範囲３８１および範囲３８２を含む。図４Ａ−Ｂに示されるように、範囲３８１は、弱線３９との交点から基材２４の側縁３２７まで延びている。範囲３８２は、基材２４の側縁３２７から弱線４１との交点まで延びている。弱線４０は、範囲４０１および範囲４０２を含む。図４Ａ−Ｂに示されるように、範囲４０１は、弱線３９との交点から基材２４の側縁３２７まで延びている。範囲４０２は、基材２４の側縁３２７から弱線４１との交点まで延びている。弱線３９，４２および範囲４０１は、開封帯４４の余白を形成する。範囲３８１，４０１および弱線３９，４２は、ラベル１８を打ち抜かれているが、ライナー１２を打ち抜かれていない。範囲３８２，４０２および弱線４１は、ラベル１８と基材２４を打ち抜かれているが、ライナー１２を打ち抜かれていない。
【００２７】
図４Ｃは、本開示における少なくとも一つの実施形態によるラベルフォーム１０の平面図を示す。図４Ｃに示されるラベルフォーム１０の実施形態は、図４Ｃに示されるラベルフォーム１０の実施形態が開封帯を含まない点を除き、図４Ａ−Ｂに示される実施形態と類似している。
【００２８】
図５Ａは、被覆部３２、第二面３３６を有する除去部３３および第二面３４４を有する折り畳み部３４を含む、本開示における少なくとも一つの実施形態によるラベル１８の底面図を示す。図５Ａには、ライナー１２から除去された後の、被覆部３２、除去部３３、折り畳み部３４を含むラベル１８が示されている。図５Ａに示されるように、ラベル１８をライナー１２から除去した後に、接着剤１６がラベル１８の下面に残る。図５Ａに示されるように、除去部３３の第二面３３６に接着剤１６が存在しないように、接着剤１６が塗布されている。図５Ａには、境界３２１，３２２，３２３，３２４，３２５，３４１，３４２，３４３が示されている。図５Ａに示されるように、境界３４１，３４２は、それぞれスリット２６，２８と一直線上に並んでいる。図５Ａには、弱線３８，３９，４０，４１，４２および開封帯４４の下側も示されている。図５Ａに示されるように、境界３４１，３４２，３４３および弱線４１は、折り畳み部３４の余白を定める。
【００２９】
図５Ｂは、被覆部３２、第二面３３６を有する除去部３３、第二面３４４を有する折り畳み部３４を含む、本開示における少なくとも一つの実施形態によるラベル１８の底面図を示す。図５Ｂには、ライナー１２から除去された後の、被覆部３２、除去部３３、折り畳み部３４を含むラベル１８が示されている。図５Ｂに示されるように、ラベル１８をライナー１２から除去した後に、接着剤１６がラベル１８の裏面に残る。図５Ｂに示されるように、除去部３３の第二面３３６が接着剤１６で被覆されるように、接着剤１６が塗布されている。接着剤１６の別の塗布様式も可能であり、本開示の範囲内である。図５Ｂには、境界３２１，３２２，３２３，３２４，３２５，３４１，３４２，３４３が示されている。図５Ｂに示されるように、境界３４１，３４２は、それぞれスリット２６，２８と一直線上に並んでいる。図５Ｂには、弱線３８，３９，４０，４１も示されている。図５Ｂに示されているラベルフォーム１０の実施形態は、開封帯を含まない。図５Ｂに示されるように、境界３４１，３４２，３４３および弱線４１は、第二面３４４を含む折り畳み部３４の余白を定める。
【００３０】
図６は、本開示における少なくとも一つの実施形態によるラベル１８の側面図を示す。図６に示されるように、ラベル１８は、ライナー１２から除去されている。図６には境界３２２，３２３，３２５，３４３、被覆部３２、折り畳み部３４、ならびに境界３２５および側縁３２６，３２７を含む基材２４を含むラベル１８が示されている。図６には、弱線４１の位置と同様に、除去部３３の表面３３６，３３７および折り畳み部３４の表面３４４，３４５の位置も示されている。明確に記す目的で、接着剤１６、剥離パッチ２０および接着剤２２は、図６に示されていない。図６に示されるラベル１８の実施形態において、例えば図３Ｃ、５Ａおよび／または５Ｂに示されるように、接着剤１６は、表面３４４の全体または一部分、被覆部３２の下側の全体または一部分を被覆している。図６に示されるラベル１８の実施形態において、例えば図３Ｂ、３Ｃ、４Ｂに示されるように、剥離パッチ２０および接着剤２２が存在する。
【００３１】
図７は、本開示における少なくとも一つの実施形態によるラベル１８の側面図を示す。図７に示されるように、ラベル１８は、ライナー１２から除去されている。図７には、境界３２２，３２３，３２５，３４３被覆部３２、折り畳み部３４、ならびに境界３２５および側縁３２６，３２７を含む基材２４を含むラベル１８が示されている。図７には、弱線４１の位置と同様に、除去部３３の表面３３６，３３７および折り畳み部３４の表面３４４，３４５の位置も示されている。明確に記す目的で、接着剤１６、剥離パッチ２０および接着剤２２は、図７に示されていない。図７に示されるラベル１８の実施形態において、例えば、図３Ｃ、５Ａおよび／または５Ｂに示されるように、接着剤１６は、表面３４４の全体または一部分および被覆部３２の後側の全体または一部分を被覆している。図７に示されるラベル１８の実施形態において、例えば、図３Ｂ、３Ｃ、４Ｂに示されるように、剥離パッチ２０および接着剤２２が存在する。図７に示されるように、折り畳み部３４は、被覆部３２からスリット２６，２８（図示せず）で切り離され、矢印５０の方向に移動させられる。折り畳み部３４は、弱線４１において被覆部３２に付着したままであり、弱線４１は、折り畳み部３４がそれを軸として旋回するヒンジを形成する。折り畳み部３４の表面３４４は、矢印５０によって示されるように、除去部３３の表面３３６の方向に向けられる。
【００３２】
図８は、図７のラベル１８の端面図を示す。図８には、境界３２４，３２５，３４１，３４２，３４３を含むラベル１８と、折り畳み部３４と、境界３２４，３２５および側縁３２６を含む基材２４とが示されている。図８には、折り畳み部３４に付着している剥離パッチ２０の一部分を含む折り畳み部３４の表面３４５も示されている。図８に示されるように、折り畳み部３４は、スリット２６，２８を切り離し、変位される。折り畳み部３４は、弱線４１において付着したままであり、弱線４１は、折り畳み部３４がそれを軸として旋回するヒンジを形成する。折り畳み部３４が図８に示されるように変位されるとき、剥離パッチ２０の一部分も図８に示されるように変位される。図８に示されるように剥離パッチ２０の当該部分が変位されることにより、基材２４の下側の対応部分の接着剤２２が現れる。
【００３３】
図９Ａは、被覆部３２の一実施形態の平面図を示し、被覆部３２の下に完全に隠れている折り畳み部３４をともに示す。図９Ｂは、被覆部３２の一実施形態の平面図を示し、被覆部３２の下に完全に隠れている折り畳み部３４の一実施形態の平面図を示す。図９Ａおよび図９Ｂの実施形態は、図９Ａが開封帯４４を含むのに対し、図９Ｂの実施形態は、それを含まない点が異なる。図７を参照すると、図９Ａ−９Ｂに示されるように、折り畳み部３４は、表面３４４が表面３３６に接するように、矢印５０の方向に移動させられている。本開示の他の箇所で述べたように、少なくとも一つの実施形態において、表面３４４は接着剤１６を含む。表面３４４を表面３３６に接触させると、表面３４４上の接着剤１６は、表面３４４と表面３３６を実質的に耐久性があるように接着する。本開示の他の箇所で述べたように、少なくとも一つの実施形態において、表面３４４は接着剤１６を含み、表面３３６は接着剤１６を含む。表面３４４を表面３３６に接触させると、表面３４４上の接着剤１６と表面３３６上の接着剤１６とは、表面３４４と表面３３６とを実質的に耐久性があるように接着する。
【００３４】
図１０は、図９Ａの被覆部３２の実施形態の平面図を示し、図解のために基材２４を透明で示す。図１０に示されるように、折り畳み部３４は、被覆部３２の下に完全に隠蔽されている。図７を参照して、図１０に示されるように、折り畳み部３４は、表面３４４が表面３３６に接するように、矢印５０の方向に移動させられており、弱線４１はそれを軸として折り畳み部３４が移動するヒンジの役割を果たしている。図８を参照して、折り畳み部３４が変位されると、剥離パッチ２０の一部分が移動される。図１０に示されるように、スリット２６，２８および弱線４１の外側の剥離パッチ２０の一部分のみが残っている。図１０に示されるように、スリット２６，２８および弱線４１の境界内の基材２４の下部に存在していた剥離パッチ２０の一部分が移動させられる。図８を参照して、剥離パッチの当該部分が変位されることによって、基材２４の下側の対応部分上の（図１０には示されていない）接着剤２２が現れる。
【００３５】
図１１は、図９Ａおよび図１０の被覆部３２の実施形態の底面図を示す。図７を参照して、図１１に示されるように、折り畳み部３４が矢印５０の方向に変位されることにより、表面３４４（図１１に示されていない）が表面３３６（図１１に示されていない）に接続される。図１１に示されている被覆部３２の底面図において、折り畳み部３４の表面３４５は、視認可能である。折り畳み部３４は、境界３４１，３４２，３４３および弱線４１に囲まれている。表面３４５は剥離パッチ２０の一部分を含む。図１１には、弱線３８，３９，４０，４２も示されている。弱線３８，３９，４０，４１は、除去部３３の余白を含む。図１１に示される実施形態において、弱線３９および４２は、開封帯を定めている。その他の実施形態では、開封帯は存在していない。本開示の他の箇所で述べたように、折り畳み部３４が変位されるとき、図１１に示されている剥離パッチ２０もまた変位される。剥離パッチ２０の当該部分が変位されることによって、図１１に示されるように、スリット２６，２８、弱線４１および側縁３２６で囲まれた基材２４の下側の当該部分上の接着剤２２が現れる。接着剤１６は、図１１において、被覆部３２の他の表面に示されている。
【００３６】
図１２は、本開示における少なくとも一つの実施形態によるラベルであって、容器に添付されたラベルを示す。図１２には、ラベル１８が添付されている容器１２００が示されている。図１２は、被覆部２１の下に完全に隠れた折り畳み部３４を有する被覆部３２の一実施形態の平面図を示す。図７を参照して、図１２に示されるように、折り畳み部３４は、表面３４４が表面３３６に接するように、矢印５０の方向に移動される。本開示の他の箇所で述べたように、少なくとも一実施形態において、表面３４４は、接着剤１６を含む。表面３４４を表面３３６に接触させると、表面３４４上の接着剤１６が表面３４４と表面３３６とを実質的に恒久的に接着させる。本開示の他の箇所で述べたように、少なくとも一つの実施形態において、表面３４４は接着剤１６を含み、表面３３６は接着剤１６を含む。表面３４４を表面３３６に接触させると、表面３４４上の接着剤１６と表面３３６上の接着剤１６は表面３４４と表面３３６とを実質的に耐久性があるように接着する。
【００３７】
図１３は、本開示における少なくとも一つの実施形態によるラベルフォーム１０の使用を説明するフローチャートを示す。図１３の段階１３０２に示されるように、郵便物証印が除去部３３および折り畳み部３４に印刷される。このような郵便物証印は、例えば、発送先住所および／または返送先住所、ラベルフォーム１０の使用方法、パッキングリストの情報、電話番号や業務名などの業務情報といった類いの情報であることができる。このような郵便物証印は、例えば、郵便物証印、バーコード、識別番号、マキシコード（Ｍａｘｉｃｏｄｅ）が付されたラベルが貼付された容器の返品交換方針の説明情報を含むことができる。図１３の段階１３０４に示されるように、被覆部３２、除去部３３および折り畳み部３４を含むラベルがライナー１２から剥がされる。図１３の段階１３０６に示されるように、折り畳み部３４は被覆部３２の下に折り畳まれる。図１３の段階１３０８に示されるように、折り畳み部３４は除去部３３に接着される。図１３の段階１３１０に示されるように、折り畳まれたラベルは、容器に接着される。図１１を参照して、露出した接着剤１６の接着剤２２に被覆された部分が当該ラベルを容器に接着するために使用される。少なくとも一つの実施形態において、段階１３０２−１３１０は、これらの段階を実行するために改造した機械装置によって自動的に実行される。
【００３８】
図１３の段階１３１２に示されるように、除去部３３は、折り畳み部３４を露出させるために除去される。開封帯４４などの開封帯を含む本願の開示におけるラベルフォーム１０の一つの実施形態において、開封帯４４を弱線３９，４２に沿って切り離し、その後除去部３３を弱線３８，４０，４１に沿って被覆部３２の残りの部分から切り離すことによって、除去部３３が除去される。折り畳み部３４は、除去部３３に接着されている。したがって、除去部３３が弱線４１から切り離されると、折り畳み部３４が弱線４１から切り離される。
【００３９】
開封帯を含まない本願の開示におけるラベルフォーム１０の一つの実施形態において、除去部３３を弱線３８，３９，４０，４１に沿って被覆部３２の残りの部分から切り離すことによって、除去部３３が除去される。折り畳み部３４は、除去部３３に接着されている。したがって、除去部３３が弱線４１から切り離されると、折り畳み部３４が弱線４１から切り離される。
【００４０】
本開示は、好ましい設計であるよう表されているが、本開示による機器と方法は、本開示の範囲内で本開示の精神に従ってさらに改変されることができる。したがって、本願は、任意の改良、使用あるいは一般原則を使用した本開示の適用を含むよう意図されている。例えば、ここで開示された任意の方法と付随する請求は、ある一連の実行段階を意味する。特定の事項において一つまたは複数の開示された方法の複数の段階は結合することができる、または同じ結果を成し遂げるために別の一連の段階を採用することができる、と実務者が決断することもできる。このような実行方法はそれぞれ、ここに開示された本願の開示と付随する請求の範囲内に該当する。さらに本願は、本開示が関係する業界における既知の技術または慣習的な実行などの本開示からの発展も含むよう意図されている。
【図１Ａ】
0006337100.tif 000002
【図１Ｂ】
0006337100.tif 000003
【図２】
0006337100.tif 000004
【図３Ａ】
0006337100.tif 000005
【図３Ｂ】
0006337100.tif 000006
【図３Ｃ】
0006337100.tif 000007
【図４Ａ】
0006337100.tif 000008
【図４Ｂ】
0006337100.tif 000009
【図４Ｃ】
0006337100.tif 000010
【図５Ａ】
0006337100.tif 000011
【図５Ｂ】
0006337100.tif 000012
【図６】
0006337100.tif 000013
【図７】
0006337100.tif 000014
【図８】
0006337100.tif 000015
【図９Ａ】
0006337100.tif 000016
【図９Ｂ】
0006337100.tif 000017
【図１０】
0006337100.tif 000018
【図１１】
0006337100.tif 000019
【図１２】
0006337100.tif 000020
【図１３】
0006337100.tif 000021